(57)【要約】      （修正有）【課題】全高が低く抑えられて見栄えが良く、使い易い新規な開閉式噴出ヘッドを提供する。【解決手段】容器20の内側に配置したポンプPに連結されるジョイント2に対して、上下動可能に連結されポンプPを駆動させる本体3を有し、本体3の内側に横向きに配置したノズル4の内側に先端開口4eを開閉するピン7を摺動可能に配置し、このピン7の開閉動作を本体3の押し下げ及び復帰に応じて生起させる梃子機構Mをジョイント2と本体3との間に介在させたものであって、機構Mは、ピン7と本体3との間に配置されピン7が注出口4eを閉じるように当該ピン7を付勢する弾性部材8と、ジョイント2に対して揺動可能に起立するレバー9を有し、レバー9の先端を、ピン7の後端に、当該ピン7の開閉動作を許容するように連結すると共に、当該レバー9の前面に、本体3の押し下げにより当該本体3と接触してレバー9の後傾を生起させる傾斜面9cを形成する。【選択図】図１
2010104926.tif 000002
【特許請求の範囲】
【請求項１】
容器の内側に配置したポンプに連結されるジョイントと、このジョイントに対して上下動可能に連結され、その押し下げ及び復帰によりポンプを駆動させるヘッド本体とを有し、このヘッド本体の内側に当該ヘッド本体の注出口を開閉するピン部材を摺動可能に横向きに配置し、このピン部材の開閉動作をヘッド本体の押し下げ及び復帰に応じて生起させる機構をジョイントとヘッド本体との間に介在させた開閉式噴出ヘッドであって、
前記機構は、ピン部材とヘッド本体との間に配置され、ピン部材が注出口を閉じるように当該ピン部材を付勢する弾性部材と、ジョイントに対して揺動可能に起立するレバーを有し、
このレバーの先端を、ピン部材の後端に、当該ピン部材の開閉動作を許容するように連結すると共に、
当該レバーの前面に、ヘッド本体の押し下げにより、当該ヘッド本体と接触してレバーの後傾を生起させる傾斜面を形成してなることを特徴とする開閉式噴出ヘッド。
【請求項２】
請求項１において、ヘッド本体がレバーの前面に接触する部位を、ピン部材を配置する空間と前記機構を配置する空間とを仕切る隔壁としたことを特徴とする開閉式噴出ヘッド。
【発明の詳細な説明】
【技術分野】
【０００１】
本発明は、容器の内側に配置したポンプを駆動させる操作片として機能すると共に、そのポンプ動作に伴う内容物の注出を可能とし、併せて、注出後における内容物の垂れや詰まりを生じにくい開閉式噴出ヘッドに関するものである。
【背景技術】
【０００２】
噴出ヘッドには、液切れの悪さや内容物の固化を防止することを目的として、ポンプにジョイントを連結すると共に、このジョイントに対してヘッド本体を上下動可能に連結する一方、このヘッド本体の内側に当該ヘッド本体の注出口を開閉するピン部材を摺動可能に横向きに配置し、このピン部材の開閉動作をヘッド本体の押し下げ及び復帰に応じて生起させる梃子機構をジョイントとヘッド本体との間に介在させた開閉式の噴出ヘッド（以下、「開閉式噴出ヘッド」という）が存在する（例えば、特許文献１参照。）
【特許文献１】特開２００８−６４１０号公報
【発明の開示】
【発明が解決しようとする課題】
【０００３】
しかしながら、従来の開閉式噴出ヘッドは、ピン部材の開閉動作を生起させる機構が、ジョイントとヘッド本体との間に揺動可能に保持された「く」の字形のレバーを用いた梃子機構であるため、当該レバーには、ヘッド本体の押し下げに伴いジョイントに押し付けられてレバーの揺動を生起させる脚部が必要となるため、噴出ヘッド全体の高さが高くなりがちで、見栄えの点で改善の余地がある。
【０００４】
また、噴出ヘッド全高が高い場合には、指を引っ掛け難いことがあることから、使い易さの点でも改善の余地がある。
【０００５】
本発明の目的とするところは、全高が低く抑えられて見栄えが良く、使い易い新規な開閉式噴出ヘッドを提供することにある。
【課題を解決するための手段】
【０００６】
本発明は、容器の内側に配置したポンプに連結されるジョイントと、このジョイントに対して上下動可能に連結され、その押し下げ及び復帰によりポンプを駆動させるヘッド本体とを有し、このヘッド本体の内側に当該ヘッド本体の注出口を開閉するピン部材を摺動可能に横向きに配置し、このピン部材の開閉動作をヘッド本体の押し下げ及び復帰に応じて生起させる機構をジョイントとヘッド本体との間に介在させた開閉式噴出ヘッドであって、
前記機構は、ピン部材とヘッド本体との間に配置され、ピン部材が注出口を閉じるように当該ピン部材を付勢する弾性部材と、ジョイントに対して揺動可能に起立するレバーを有し、
このレバーの先端を、ピン部材の後端に、当該ピン部材の開閉動作を許容するように連結すると共に、
当該レバーの前面に、ヘッド本体と接触してその押し下げにより、当該ヘッド本体と接触してレバーの後傾を生起させる傾斜面を形成してなることを特徴とするものである。
【０００７】
本発明によれば、ヘッド本体がレバーの前面に接触する部位を、ピン部材を配置する空間と前記機構を配置する空間とを仕切る隔壁とすることができる。
【発明の効果】
【０００８】
本発明では、ジョイントに対して揺動可能に起立させたレバーの先端に、ピン部材の開閉動作を許容するように当該ピン部材の後端を連結する一方、レバーの前面に、ヘッド本体がその押し下げにより接触して当該レバーの後傾を生起させる傾斜面に形成したことで、従来必要とされていた、ジョイントに押し付けられてレバーの揺動を生起させるための脚部が不要となる。このため、噴出ヘッドの全高を低く抑えることができる。
【０００９】
従って、本発明によれば、全高が低く抑えられて見栄えが良く、使い易い新規な開閉式噴出ヘッドを提供することができる。
【００１０】
特に、本発明において、ヘッド本体がレバーの前面に接触する部位を、ピン部材を配置する空間と前記機構を配置する空間とを仕切る隔壁とすれば、既存の構成を流用しつつ開閉式噴出ヘッドの全高を低く抑えることができる。
【発明を実施するための最良の形態】
【００１１】
以下、図面を参照して本発明を詳細に説明する。
【００１２】
図１は、本発明の第一の形態である開閉式噴出ヘッド１の初期状態を側面から示す縦断面図である。また、図２及び図３はそれぞれ、図１のＸ−Ｘ断面図及び図２のＹ−Ｙ断面図である。更に、図４は、同ヘッド１の注出状態を側面から示す要部縦断面図であり、図５は、同形態に係るレバーを示す斜視図である。
【００１３】
図１にて、符号２は、容器２０の内側に配置したポンプＰに連結されるジョイントである。ジョイント２は、ステムＳを介してポンプＰに通じる通路が形成され、軸線ＯYに沿って起立する上筒部２ａを有する。ポンプＰは、容器２０の内側に配置される既存のプランジャポンプであり、ステムＳの押し下げ及び復帰の繰り返しにより、容器２０の内容物を圧送する。なお、ポンプＰは、容器２０の口部２１にリングキャップ３０を介して固定されている。
【００１４】
符号３は、ジョイント２の上筒部２ａに連結され、その押し下げ及び復帰によりポンプＰを駆動させるヘッド本体である。ヘッド本体３は、その外観形状が、使用者が押し下げの際に使用する天壁３ａと、この天壁３ａの外縁から垂下する外周部３ｂとで形作られている。
【００１５】
また、ヘッド本体３は、その内側に、天壁３ａから垂下する隔壁３ｃと、この隔壁３ｃから前方に向かって延在し外周部３ｂに繋がる隔壁３ｄとを有し、これら隔壁３ｃ，３ｄで取り囲まれた領域内に、ヘッド本体３の前方に開口する筒状の凹部をなす流路空間３ｅが形成されている。
【００１６】
また、隔壁３ｃは、ヘッド本体３の外周部３ｂとの間に、後述の梃子機構Mの配置空間たる副室３ｆを形成する。副室３ｆは、隔壁３ｃに形成された貫通孔３ｇを通して流路空間３ｅに通じる。
【００１７】
また、ヘッド本体３は、隔壁３ｄから垂下する下筒部３ｈを有し、この下筒部３ｈの内側には、流路空間３ｅに通じる通路が形成されている。また、下筒部３ｈの内側には、ジョイント２の上筒部２ａを摺動可能に嵌合させることができる。これにより、ヘッド本体３は、その下筒部３ｈとジョイント２の上筒部２ａとの間の密閉状態を維持しつつ、ジョイント２の上筒部２ａに対して軸線ＯYに沿って上下方向に摺動させることができる。
【００１８】
符号４は、流路空間３ｅ内に横向きに配置されるノズル（注出筒）である。ノズル４は、周壁４ａを有し、その内側に貫通孔としてなる注出路４ｂを形作る。
【００１９】
符号５は、ヘッド本体３の流路空間３ｅを形作る内周面である。この内周面５には、その前側に、ヘッド本体３の軸線ＯX周りに沿って形成される環状の凹部５ａが設けられている。この凹部５ａは、ノズル４の外周面４ｇに形成された環状突起４ｈと嵌合し、ヘッド本体３にノズル４を抜け止め保持すると共に、全周に亘って密着させることで、当該外周面４ｇを密閉保持している。なお、ノズル４に形成される環状突起４ｈは、必ずしも連続して形成する必要はなく、断続的に形成される突起又はリブに置き換えることも可能であり、さらにはヘッド本体３とノズル４とに形成される上述した凹凸関係を逆転して配置することも可能である。
【００２０】
ノズル４の外周面４ｇは、その後端側に、軸線ＯX周りに沿って突出する環状の隆起部４ｃを形成し、この隆起部４ｃを、ヘッド本体３の内周面５に全周に亘って密着させることで当該外周面４ｇの後端側を密閉保持されている。これにより、ヘッド本体３とノズル４との間に形成される内容物の通路は、実質、仕切られた流路空間３ｅとなる。
【００２１】
符号６は、隔壁３ｃから軸線ＯXに沿って注出口４ｅに向かって一体に延在する周壁である。この周壁６は、その外周面６ａがノズル４の内周面４ｆのうち、その後端側に対して全周に亘って密着して当該内周面４ｆの後端側を密閉保持する。これにより、ノズル４の内周面４ｆ及び外周面４ｇは、ヘッド本体３の内周面５及び周壁６の外周面６ａで密閉保持されることになる。
【００２２】
更に、ノズル４の周壁４ａには、その軸線ＯX周りに間隔を空けて複数の開孔４ｄが形成されている。これにより、ノズル４の内側に形成された注出路４ｂは、開孔４ｄを通してヘッド本体３の突起５ａとノズル４の隆起部４ｃとに仕切られた流路空間３ｅに通じる。なお、開孔４ｄは、必ずしも複数形成する必要はなく、少なくとも１つ形成されていればよい。
【００２３】
符号７は、注出路４ｂ内に配置され、ノズル４の先端開口たる注出口４ｅを開閉するノズルピン（ピン部材）である。ノズルピン７は、ノズルピン７と一体に設けられた、摺動部位たる環状のピストン７ａを有し、このピストン７ａを介して注出路４ｂ内に摺動可能に保持されている。
【００２４】
符号Ｍは、ヘッド本体３の押し下げ及び復帰に応じてノズルピン４の開閉動作を生起させる梃子機構である。梃子機構Ｍは、基本的に、弾性部材と片側支持のレバーとからなる。
【００２５】
符号８は、ピストン７ａと隔壁３ｃとの間に配置され、梃子機構Ｍを構成するスプリング（弾性部材）である。スプリング８は、ノズルピン７が注出口４ｅを閉じるように当該ノズルピン７を前方に付勢する。これにより、ノズルピン７は、スプリング８の付勢力（弾性力）により、図１に示すように、注出口４ｅを閉じた状態を初期位置とする一方、スプリング８の付勢力（弾性力）に抗して移動させることで、図４に示すように、注出口４ｅを開放することができる。
【００２６】
符号９は、梃子機構Ｍを構成し、ノズルピン４の開閉動作をヘッド本体３の押し下げ及び復帰に同期させるレバーである。レバー９は、ジョイント２から起立する保持部２ｂに形成された軸受け凹部２ｃに回転可能に保持される軸部９ａを有し、図１等に示すように、ヘッド本体３の隔壁３ｄ下側にて、ジョイント２に対して揺動可能に保持されている。なお、軸受け凹部２ｃを形成した保持部２ｂをジョイント２と別体として形成しヘッド本体３に組み付けて構成することも可能であるが、部品点数を考慮した場合、上述のジョイント２と一体設する構成が好ましい。
【００２７】
レバー９は、ヘッド本体３の副室３ｆ内に配置され、その先端には、貫通孔３ｇを通して突出したノズルピン７の後端７ｂを、自由度をもって嵌合させる切欠９ｂが形成されている。これにより、ノズルピン７の後端７ｂは、レバー９の先端に対し、その開閉動作が許容されるように連結される。
【００２８】
加えて、レバー９の前面には、軸部９ａから先端に向かって先細るように傾斜する傾斜面９ｃが形成されている。本形態では、レバー９を、その傾斜面９ｃが隔壁３ｃ（又は、隔壁３ｃと隔壁３ｄとの連結部（以下、同様））の下側に位置するように配置する。
【００２９】
かかる構成によれば、ヘッド本体３の隔壁３ｃは、当該ヘッド本体３を押し下げることでレバー９の傾斜面９ｃに接触し、更にヘッド本体３の押し下げが進むと、レバー９の傾斜面９ｃに沿って当該レバー９を後方に押し退ける。即ち、ヘッド本体３を押し下げると、レバー９は、図４に示すように軸部９ａ周りを後向きに傾くように揺動する。
【００３０】
これにより、ヘッド本体３の押し下げる前の状態にあっては、ノズルピン７は、スプリング８の付勢力によって依然、注出口４ｅを密閉しているが、ヘッド本体３が押し下げられると、レバー９が軸部９ａを基点に後傾することで、スプリング８の付勢力に抗してノズルピン７を後退させ、注出口４ｅを外界に開放する。
【００３１】
これに対し、ヘッド本体３の押し下げを解除すると、スプリング８の付勢力によってノズルピン７が注出口４ｅに向かって前進するため、レバー９も軸部９ａを基点に初期位置に復帰するように前傾するため、レバー９の立ち上がりによってヘッド本体３を押し上げる。即ち、ヘッド本体３の押し下げを解除すると、ノズルピン７が初期位置に復帰することで、注出口４ｅを再度密閉すると共に、ヘッド本体３も、ジョイント２に対して初期位置に復帰する。
【００３２】
従って、ジョイント２とヘッド本体３との間に梃子機構Ｍを介在させることによって、ヘッド本体３の押し下げ及び復帰に応じてノズルピン７の開閉動作を生起させることができる。
【００３３】
本発明では、ジョイント２に対して揺動可能に起立させたレバー９の先端に、ノズルピン７の開閉動作を許容するようにその後端７ｂを連結する一方、レバー９の前面に、ヘッド本体３がその押し下げにより接触して当該レバー９の後傾を生起させる傾斜面９ｃを形成したことで、従来必要とされていた、ジョイント２に押し付けられてレバーの揺動を生起させるための脚部が不要となる。
【００３４】
言い換えれば、従来の梃子機構は、力点に対して作用点が支点よりも遠い位置にあるのに対し、本発明では、力点に対して作用点が支点よりも近い位置に存在する。このため、本発明によれば、噴出ヘッドの全高を低く抑えることができる。
【００３５】
従って、本発明によれば、全高が低く抑えられて見栄えが良く、使い易い新規な開閉式噴出ヘッドを提供することができる。
【００３６】
特に、本形態の如く、ヘッド本体３がレバー９の傾斜面９ｃに接触する部位を、隔壁３ｃ（又は、隔壁３ｃと隔壁３ｄとの連結部）とすれば、既存の構成を流用しつつ開閉式噴出ヘッドの全高を低く抑えることができる。
【００３７】
図６は、本発明の第二の形態である開閉式噴出ヘッド１の変形例を、その初期状態で側面から示す要部縦断面図である。なお、以下の説明において、第一の形態と同一部分は、同一符号をもって、その説明を省略する。
【００３８】
本形態では、ノズルピン７の内側に、その後端に開口する凹部７ｃを形成し、この凹部７ｃにスプリング８を配している。これにより、ノズルピン７は、同図に示すように、スプリング８を介してヘッド本体３の後端側内周面３ｂ1に弾支されている。
【００３９】
上述したところは、本発明の好適な形態を示したものであるが、用途に応じて様々に設計変更することができる。例えば、本発明である開閉式噴出ヘッドは、本形態のような手動式ポンプを備えた容器に限らず、エアゾール容器にも適用することができる。加えて、各形態に採用された各構成はそれぞれ、互いに適宜組み合わせることができる。
【産業上の利用可能性】
【００４０】
本発明は、シャンプーやリンス、液体石鹸、化粧料等の内容物を入れる容器は勿論のこと、内容物を入れた様々な容器に適用させることができる。
【図面の簡単な説明】
【００４１】
【図１】本発明の第一の形態である開閉式噴出ヘッドの初期状態を側面から示す縦断面図である。
【図２】図１のＸ−Ｘ断面図である。
【図３】図２のＹ−Ｙ断面図である。
【図４】同形態の注出状態を側面から示す要部縦断面図である。
【図５】同形態に係るレバーを示す斜視図である。
【図６】本発明の第二の形態である開閉式噴出ヘッドの初期状態を側面から示す縦断面図である。
【符号の説明】
【００４２】
１    開閉式噴出ヘッド
２    ジョイント
３    ヘッド本体
４    ノズル（注出筒）
５    ヘッド本体内でノズルを配置する空間を形作る内周面
６    周壁
７    ノズルピン
８    スプリング（弾性部材）
９    レバー
９ａ  軸部
９ｂ  切欠
９ｃ  傾斜面
Ｍ    梃子機構
【図１】
2010104926.tif 000003
【図２】
2010104926.tif 000004
【図３】
2010104926.tif 000005
【図４】
2010104926.tif 000006
【図５】
2010104926.tif 000007
【図６】
2010104926.tif 000008